(57)【特許請求の範囲】
【請求項１】
筒状の本体２４の一方の端面に吸込口２を有し、円形の外周面に吐出口３を有した本体部１ａと、この本体部１ａの外周面に沿って回転自在に設けた握り部１ｂと、前記本体部１ａに、その吐出口３と連通して設けたノズル部１ｃを備えた装置本体１と、
前記本体２４内に設けられ、モータ７で駆動されるファン５と、
前記本体２４内に設けられた薬剤担持体６を有し、
前記ファン５をモータ７で駆動することで空気が薬剤担持体６に触れて微細粒子の害虫防除成分を含有した空気が吐出口３を経てノズル部１ｃから気中に放出されるようにしたことを特徴とする植物の害虫防除装置。
【請求項２】
本体部１ａの本体２４は、その外周面に環状凹部３３を有し、
握り部１ｂは、握り部分３０と、この握り部分３０に設けた支持部分３１と、この支持部分３１にビス止めされる押え部分３２を有し、
この支持部分３１と押え部分３２を前記環状凹部３３に回転自在に嵌め込んで本体部１ａと握り部１ｂが回動自在とした請求項１記載の植物の害虫防除装置。
【請求項３】
本体部１ａにノズル部１ｃを着脱自在に取付けると共に、形状の異なる複数のノズル部１ｃを備えている請求項１又は２記載の植物の害虫防除装置。
【発明の詳細な説明】
【技術分野】
【０００１】
本発明は、農作物、花木、果樹などの植物を、植物を食害する害虫、植物に寄生している害虫などの害虫から防除する植物の害虫防除装置に関する。
【背景技術】
【０００２】
農作物などの植物の害虫防除装置としては、特許文献１に開示されたように、噴口から害虫防除剤を植物に噴霧する動力噴霧機が知られている。
また、特許文献２には缶などの容器内に噴射剤と共に内容物（薬剤、溶剤など）を充填し、噴射剤の圧力によって噴出（噴霧）するエアゾール容器が開示されている。
【０００３】
【特許文献１】実開昭５８−７３３６７号公報
【特許文献２】特開平８−１９６９５４号公報
【発明の開示】
【発明が解決しようとする課題】
【０００４】
特許文献１に記載された動力噴霧機は、植物全体に害虫防除剤を噴霧するので、その植物の周囲に害虫防除剤が飛散するから、人体など周囲環境への影響を考慮して十分注意深く作業しなければならない。
また、動力噴霧機は大掛かりで、取り扱いがむずかしいと共に、コストが高く、一般の人が家の庭などで行う害虫防除装置としては好ましくない。
【０００５】
前述のことから特許文献２に開示されたエアゾール容器を用い、植物に付着している害虫に向けて内容物を噴出して害虫防除することが考えられる。
このエアゾール容器は、何処でも使用できる簡便なものであるから、一般の人が家の庭などで行う害虫防除装置として好ましい。
しかし、エアゾール容器は内容物を微粒子として高速で噴出するので、植物に付着している害虫の近くから噴出すると、その内容物によって害虫が吹き飛ばされてしまうから、植物に付着している害虫から離れた位置から内容物を害虫に向けて噴出して害虫が内容物で吹き飛ばされないようにしているので、噴出した内容物の一部分のみが害虫に吹きつけられ、残りの大部分は周囲に飛散するから、害虫防除の効率が悪い。
しかも、前述のように微粒子として噴出した内容物の大部分は周囲に飛散するから、人体など周囲環境へ影響を考慮して十分注意深く作業しなければならない。
【０００６】
本発明の目的は、簡便で取り扱い易く、一般の人が家の庭などで使用するのに好ましいと共に、害虫防除の効率が良く、周囲環境への影響が少ない植物の害虫防除装置を提供することである。
【課題を解決するための手段】
【０００７】
本発明は、筒状の本体２４の一方の端面に吸込口２を有し、円形の外周面に吐出口３を有した本体部１ａと、この本体部１ａの外周面に沿って回転自在に設けた握り部１ｂと、前記本体部１ａに、その吐出口３と連通して設けたノズル部１ｃを備えた装置本体１と、
前記本体２４内に設けられ、モータ７で駆動されるファン５と、
前記本体２４内に設けられた薬剤担持体６を有し、
前記ファン５をモータ７で駆動することで空気が薬剤担持体６に触れて微細粒子の害虫防除成分を含有した空気が吐出口３を経てノズル部１ｃから気中に放出されるようにしたことを特徴とする植物の害虫防除装置である。
【０００９】
本発明においては、本体部１ａの本体２４は、その外周面に環状凹部３３を有し、
握り部１ｂは、握り部分３０と、この握り部分３０に設けた支持部分３１と、この支持部分３１にビス止めされる押え部分３２を有し、
この支持部分３１と押え部分３２を前記環状凹部３３に回転自在に嵌め込んで本体部１ａと握り部１ｂが回動自在とした害虫防除装置とすることができる。
【００１０】
本発明においては、本体部１ａにノズル部１ｃを着脱自在に取付けると共に、形状の異なる複数のノズル部１ｃを備えている植物の害虫防除装置とすることができる。
【発明の効果】
【００１２】
請求項１に係る発明によれば、使用者が握り部１ｂを手で持って害虫防除作業できるので、簡便で取り扱い易く一般の人が家の庭などで使用するのに好ましい植物の害虫防除装置である。
また、使用者が握り部１ｂを手で持ち、ノズル部１ｃを植物に付着している害虫に向けることで、害虫防除成分を含有した空気がノズル部１ｃから前述の植物に付着している害虫に直接的に吹きつけられるから、その害虫防除成分で害虫を効率良く防除できる。
また、気中に放散された微細粒子の害虫防除成分は気中（大気中）に浮遊し、時間の経過とともに希釈されるので、人体など周囲環境への影響が少ない。
また、握り部１ｂに対して本体部１ａを回転することでノズル１ｃの向きが変わるので、作業者が握り部１ｂを手で持った状態で動いたり、手を動かさずにノズル部１ｃの向きを変えることができ、植物の任意の位置に付着している害虫に害虫防除成分を簡単で、確実に吹きつけできる。
【００１４】
請求項２に係る発明によれば、支持部分３１を環状凹部３３に嵌め込み、押え部分３２を環状凹部３３に嵌め込んで押え部分３２と支持部分３１をビス止めすることで、本体部１ａと握り部１ｂを回動自在に連結でき、その作業が簡単である。
また、本体部１ａと握り部１ｂが外れたりすることがない。
【００１５】
請求項３に係る発明によれば、害虫防除の作業内容に応じた形状のノズル部１ｃを取付けて害虫防除作業できるので、その作業がやり易い。
【発明を実施するための最良の形態】
【００１７】
図１、図２、図３に示すように、装置本体１は本体部１ａと握り部１ｂとノズル部１ｃを備え、その握り部１ｂを使用者が手で持って使用できるようにしてある。
前記本体部１ａには吸込口２と吐出口３を有していると共に、その吸込口２と吐出口３を連通する空気流通路４を有している。
この空気流通路４にはファン５と薬剤担持体６が設けてあり、そのファン５をモータ７で駆動することで吸込口２から空気を吸い込み、その空気が薬剤担持体６に触れて害虫防除成分を含有した空気とし、その空気を吐出口３から吐出して前述のノズル部１ｃから気中に放散される。
【００１８】
前記ノズル部１ｃから気中に放散される空気に含有されている害虫防除成分は微細粒子となるようにしてある。なお、微細粒子とはエアゾール容器の場合の噴出される内容物の粒子よりも小さいことである。
つまり、害虫防除成分は微細粒子として気中に放散されるようにしてある。
また、ノズル部１ｃから気中に放散される空気の流速や流量は、従来のエアゾール容器の内容物の噴出速度に比べて遅く、また噴出量も少なく、総じて噴出の勢いが弱いのでその空気によって植物に付着している害虫が吹き飛ばされない。
つまり、ファン５による空気吐出速度などを調整することで前述の空気の流速などを任意に制御することが可能であるので、ノズル部１ｃから気中に放散される空気の流速などを任意のものとすることが可能である。
【００１９】
このようであるから、使用者が握り部１ｂを手で持って作業でき、簡便で取り扱い易いので、一般の人が家の庭で使用するのに好ましい。
また、使用者が握り部１ｂを手で持ち、ノズル部１ｃを植物に付着している害虫に向けることで、害虫防除成分を含有した空気がノズル部１ｃから前述の植物に付着している害虫に直接的に吹きつけられるから、その害虫防除成分で害虫を効率良く防除できる。
また、気中に放散された微細粒子の害虫防除成分は気中（大気中）に浮遊し、時間の経過とともに希釈されるので、人体など周囲環境への影響が少ない。
【００２０】
前述の実施の形態では、装置本体１は握り部１ｂに対してノズル部１ｃが回動して向きを変更可能である。
例えば、握り部１ｂと本体部１ａを回動可能に連結し、その本体部１ａにノズル部１ｃを設けることで、握り部１ｂに対してノズル部１ｃが回動するようにしてある。
このようにすれば、使用者の手で握り部１ｂを持ち、ノズル部１ｃを回動することで使用者が動いたり、手を動かさずに害虫防除成分を含有した空気の放散方向を任意の方向とすることができるから、植物の任意の位置に付着している害虫に害虫防除成分を簡単で、確実に吹きつけできる。
【００２１】
例えば、図１に示すようにノズル部１ｃを握り部１ｂに対して左向き姿勢で水平とすれば左寄り位置に付着している害虫に吹きつけできる。
ノズル部１ｃを図１で右向き姿勢で水平とすれば右寄り位置に付着している害虫に吹きつけできる。
ノズル部１ｃを図１で上向き姿勢としてノズル部１ｃを水平とすれば、遠い位置に付着している害虫に吹きつけでき、ノズル部１ｃを上向きとすれば高い位置に付着している害虫に吹きつけでき、ノズル部１ｃを下向きとすれば低い位置に付着して害虫に吹きつけできる。
【００２２】
前記ノズル部１ｃは害虫防除成分を含有した空気を１ヶ所に集中して放散する形状である。例えば、流入口８よりも流出口９が小さい形状としてある。
このようにすることで、害虫防除成分を含有した空気を植物に付着している害虫に集中して吹きつけできるから、その害虫の防除効果が優れたものとなる。
【００２３】
また、前記ノズル部１ｃは流入口８の向きと流出口９の向きがほぼ９０度異なり、流入口８から矢印ａで示すように流入した空気を流出口９から矢印ｂで示すようにほぼ９０度方向を変えて流出（放散）するようにしてある。
これに限ることはなく、流入口８の向きと流出口９の向きを同一としても良いし、流出口９の向きを図２とは反対に上向きとしても良い。
【００２４】
また、前記ノズル部１ｃは前述の形状に限ることはなく、害虫防除の作業内容に応じた種々の形状とすることができる。
例えば、図４（ａ）に示すように流出口９の開口部分９ａを長く、背面部分９ｂを円弧形状として、空気が矢印ｂで示すように円弧形状に流出すると共に、その流出する領域が長くなるようにする。
このようにすれば、小さな植物の幹や枝の全体を流出口９の長さ領域内に位置させ、その幹や枝の周囲に沿って空気を吹きつけできるから、その幹や枝の全体に付着している害虫を防除できる。
【００２５】
また、図４（ｂ）に示すように、流出口９の向きを流入口８の向きに対して９０度異なるようにしても良い。
また、図４（ｃ）に示すように、流出口９を流入口８よりも大きいテーパー形状としても良い。
【００２６】
図２に示すように、ノズル部１ｃは本体部１ａに着脱自在で、前述の図４（ａ），（ｂ），（ｃ）に示すノズル部１ｃのいずれか１つを選択して取付けできるようにしてある。
例えば、本体部１ａにノズル取付部１０を形成し、ノズル部１ｃの流入口８側部分に取付部１１を形成し、この取付部１１を図４（ａ），（ｂ），（ｃ）に示すノズル部１ｃの取付部１１と同一とする。
具体的には、本体部１ａには段付き筒状体１２を吐出口３と連通して設けてノズル取付部１０とする。
各ノズル部１ｃの流入口８側部分には段付き穴１３に形成して取付部１１とする。
そして、段付き穴１３を筒状体１２に嵌合して取付けるようにする。
【００２７】
次に、各部材の具体形状を説明する。
前記本体部１ａは筒状の周面板２０と一端板２１と他端板２２で中空部２３を有する本体２４と、その周面板２０に形成した吐出口３の開口縁に沿って一体的に設けた筒状体２５を備えている。
前記一端板２１には連通孔２６が形成されていると共に、その連通孔２６の周縁にリング状突片２７が設けられて薬剤取付用の凹部２８を形成している。この凹部２８と前記中空部２３とで前述の空気流通路４を形成している。
前記他端板２２には電池収容室１ｄが形成してある。
【００２８】
前記中空部２３内にファン５とモータ７が設けてある。
前記薬剤担持体６は粒状で、薬剤容器６ａ内に充填してある。
この薬剤容器６ａは通気性を有し、前記凹部２８内に嵌め込んで設けてあると共に、カバー２９で抜け落ちないように保持してある。
このカバー２９に吸込口２が形成してある。
前記筒状体２５の先端部分を段付き形状として前述の段付き筒状体１２としてノズル取付部１０としてある。
【００２９】
前記握り部１ｂは、握り部分３０と一対のほぼ半円形の支持部分３１，３１と一対のほぼ半円形の押え部分３２，３２を備えている。
前記握り部分３０は所定の幅と厚さと長さを有し、手で持ち易いようにしてある。
前記一対の支持部分３１，３１は握り部分３０の幅方向両端部に一体的に設けてあり、この一対の支持部分３１，３１は、前記本体２４の周面板２０における両側部に形成した一対の環状凹部３３の略下半分にそれぞれ嵌め込みしてある。
この各環状凹部３３の略上半分に一対の押え部分３２がそれぞれ嵌め込みしてあり、その押え部分３２と支持部分３１をビス３４で固着することで握り部１ｂと本体部１aが回動自在に連結される。
これによって、簡単に連結できると共に、外れることがない。
【００３０】
前記一対の支持部分３１と一対の押え部分３２は本体部１ａの幅方向両側に位置し、握り部１ｂと本体部１ａが回動した時にその支持部分３１、押え部分３２と筒状体２５が干渉しないようにしてある。
これによって、握り部１ｂと本体部１ａの回動角度範囲が広い、例えばほぼ３００度の範囲を回動できる。
【００３１】
前記ノズル部１ｃは、前記筒状体２５と同一断面形状で、その流入口８側に前述の段付き穴１３を形成して取付部１１とする。
これによって、ノズル部１ｃは筒状体２５に着脱自在である。
【００３２】
前記本体部１ａと握り部１ｂは一体でも良い。その場合には握り部１ｂとノズル部１ｃとの向きは図１に示すようにほぼ９０度異なる向きでも良いし、一直線状でも良い。
また、本体部１ａとノズル部１ｃは一体でも良い。
また、握り部１ｂをノズル部１ｃに取付けても良い。
前述の実施の形態では薬剤担持体６をファン５の吸い込み側に設けたが、吐出側に設けても良い。
また、ファン５としてはシロッコファンを用いているが、軸流ファンなどでも良い。
【００４５】
本発明において、害虫防除とは害虫のみではなく、害虫の幼虫や卵なども含むものである。
【００４６】
本発明において使用される害虫防除成分としては、常温送風などの条件で揮散する殺虫剤、殺ダニ剤、忌避剤、害虫成長制御剤、又は防虫性の薬剤（精油、香料、溶剤等）などが挙げられる。
例えば殺虫を目的として使用する場合、従来より用いられている各種揮散性殺虫剤、特に安全性が高いことからピレスロイド系殺虫剤が好適に用いられる。
【図面の簡単な説明】
【００４７】
【図１】本発明の実施の形態を示す正面図である。
【図２】本発明の実施の形態を示す縦断面図である。
【図３】図２のＡ−Ａ断面図である。
【図４】異なる形状のノズル部の断面図である。
【符号の説明】
【００４８】
１…装置本体、１ａ…本体部、１ｂ…握り部、１ｃ…ノズル部、２…吸込口、３…吐出口、４…空気流通路、５…ファン、６…薬剤担持体、７…モータ、８…流入口、９…流出口、３０…握り部分、３１…支持部分、３２…押え部分、３３…環状凹部、３４…ビス。
【図１】
0004994790.tif 000002
【図２】
0004994790.tif 000003
【図３】
0004994790.tif 000004
【図４】
0004994790.tif 000005